(57)【要約】【課題】  外部より空気を吸い込み、軸方向に送り出すファンユニットやこのファンユニットからの空気を清浄化するＨＥＰＡフィルタを作業室上部に設けた構成の卓上型クリーンベンチにおいて、作業性を良くし、使い勝手を向上した卓上型クリーンベンチを提供する。【解決手段】  上記の卓上型クリーンベンチにおいて、作業室を開閉する前面シャッタを斜めにして作業空間を広く取り、作業者が作業し易くなり、長時間の作業でも疲れない構成とした。  また、作業室上部のファンユニットやＨＥＰＡフィルタを設置した天井ケースにスリットを設け、作業室上方のコーナ部の気流の淀みを生じ難くしたため、作業者が早く作業に取り掛かることができる。【選択図】  図１
2007170763.tif 000002
【特許請求の範囲】
【請求項１】
外部より空気を吸い込み、軸方向に吹き出すファンユニットと、
該ファンユニットから吹き出された空気を清浄化するＨＥＰＡフィルタと、
該ＨＥＰＡフィルタからの清浄空気を作業室に吹き出す吹き出しパンチングと、
作業者が作業する作業室と、
該作業室を開閉する前面シャッタと、を有する卓上型クリーンベンチにおいて、
前記卓上型クリーンベンチの前面シャッタを斜めに設置したことを特徴とする卓上型クリーンベンチ。
【請求項２】
外部より空気を吸い込み、軸方向に吹き出すファンユニットと、
該ファンユニットから吹き出された空気を清浄化するＨＥＰＡフィルタと、
該ＨＥＰＡフィルタからの清浄空気を作業室に吹き出す吹き出しパンチングと、
作業者が作業する作業室と、
該作業室を開閉する前面シャッタと、を有する卓上型クリーンベンチにおいて、
清浄空気の吹出し面である作業室上部の吹き出しパンチングを傾斜させたことを特徴とする卓上型クリーンベンチ。
【請求項３】
外部より空気を吸い込み、軸方向に吹き出すファンユニットと、
該ファンユニットから吹き出された空気を清浄化するＨＥＰＡフィルタと、
前記ファンユニット及び該ＨＥＰＡフィルタを設置した天井ケースと、
前記ＨＥＰＡフィルタからの清浄空気を作業室に吹き出す吹き出しパンチングと、
作業者が作業する作業室と、
該作業室を開閉する前面シャッタと、を有する卓上型クリーンベンチにおいて、
卓上型クリーンベンチの作業室内上部の天井ケースにスリットを設けたことを特徴とする卓上型クリーンベンチ。
【発明の詳細な説明】
【技術分野】
【０００１】
本発明は、無塵、無菌の環境を得るために使用され、また、設置や移設を容易に行うことができる卓上型クリーンベンチに係り、特に卓上型クリーンベンチの使い勝手を向上した構成に関するものである。
【背景技術】
【０００２】
従来、特許文献１（特開２００３−２１４６７３号公報）には、ファンやフィルタを作業室の背部に設けた清浄作業台において、強化ガラスのシャッタを前面上部に傾斜することが記載されている。
【０００３】
また、図４に従来のファンやフィルタを作業室の上部に設置して、前面シャッタは垂直となっている（特許文献１の図５参照）。このような垂直なシャッタを有する卓上型クリーンベンチにおいては、作業室内の上方部のコーナ部には気流の淀みが生じ易く、塵埃が浮遊し易いため、作業者が作業を開始する際、作業室内の清浄度を保障している数値になるまで数分間とか、ある程度の時間を要していた。
【０００４】
【特許文献１】特開２００３−２１４６７３号公報
【発明の開示】
【発明が解決しようとする課題】
【０００５】
従来は、図４に示す卓上型クリーンベンチにおいては、前面シャッタを垂直に設置しており、作業者が手を差し延ばして顔の前にシャッタがあるため、作業がしづらく、長時間の作業は疲れるという欠点があった。
【０００６】
また、このように垂直な前面シャッタの卓上型クリーンベンチでは、作業空間の上方部のコーナに気流の淀みが生じ易く、塵埃が浮遊し易いため、作業者が作業を開始する際、作業室内の清浄度を保障している数値になるまで数分間とか、ある程度の時間を要していた。
【０００７】
さらに、特許文献１にはファンやフィルタを作業室の背部に設けた清浄作業台において、前面シャッタを傾斜させる構成が示されているが、このような構成は奥行きが長くなり、同じ奥行きで比較すると作業室の空間を広く取ることができないという欠点がある。
【０００８】
本発明は、上記の点を鑑み、使い勝手を向上させた構成の卓上型クリーンベンチを提供することを目的とするものである。
【課題を解決するための手段】
【０００９】
上記目的を達成するため、本発明は、外部より空気を吸い込み、軸方向に吹き出すファンユニットと、ファンユニットから吹き出された空気を清浄化するＨＥＰＡフィルタと、ＨＥＰＡフィルタからの清浄空気を作業室に吹き出す吹き出しパンチングと、作業者が作業する作業室と、作業室を開閉する前面シャッタと、を有する卓上型クリーンベンチにおいて、卓上型クリーンベンチの前面シャッタを斜めに設置したことを特徴とする。
【００１０】
また、上記の卓上型クリーンベンチで、清浄空気の吹き出し面である作業室内上部の吹き出しパンチングを傾斜させたことを特徴とする。
【００１１】
さらに、ファンユニットやＨＥＰＡフィルタを設置した作業室の上部の天井ケースにスリットを設けたことを特徴とする。
【発明の効果】
【００１２】
本発明によれば、ファンユニットやＨＥＰＡフィルタを作業室上部に設置した卓上型クリーンベンチにおいて、前面シャッタを斜めに設けているため、作業空間が広く取れ、作業者が作業し易く、長時間作業しても疲れにくいという効果がある。
【００１３】
また、作業室上部のコーナ部において、生じ易い気流の淀みを生じ難いしたため、クリーンベンチの作業を早く取り掛かることができ、作業性を良くし使い勝手を向上させた。
【発明を実施するための最良の形態】
【００１４】
本発明を実施するための最良の形態を説明する。
【００１５】
以下、本発明の卓上型クリーンベンチの実施例について、図面を用いて説明する。
【実施例１】
【００１６】
図１（ａ）に本発明の第１の実施例の卓上型クリーンベンチの正面断面図、図１（ｂ）に側面断面図を示す。
【００１７】
図１（ａ）（ｂ）において、１は卓上型クリーンベンチで、２はファンユニットでモータとファンで構成される。３はＨＥＰＡフィルタ、４は吹き出しパンチング、５は作業室、６は清浄空気の作業室５内での流れ、７は前面シャッタ、８は吸込み空気、１２は作業室５から排気される空気の流れである。
【００１８】
図１において、卓上型クリーンベンチにおいて、ファンユニット２が動作すると、クリーンベンチ１の上方の吸込み口より空気を吸い込み、軸方向に送り出される。ファンはターボファンなどを用いる。ファンより送り出された空気は、ＨＥＰＡフィルタ３を通過して、清浄空気として吹き出しパンチング４を介して作業室５に吹き出される。吹き出しパンチング４は作業室５内へ清浄空気を均一に吹き出すためのものである。
【００１９】
作業室５内の空気は、作業者が開閉自在の前面シャッタ７を開け、作業する際に、前面シャッタ７の開口部よりクリーンベンチ１の外に空気に流れ１２に示したように排気される。
【００２０】
また、前面シャッタ７は、クリーンベンチ１の底部が広くなるように斜めに設置している。このように作業者手前に斜めに取り付ける構造にすることにより、作業室内が広く取れ、作業者が作業し易くなる。このように前面シャッタを斜めにする構成により、作業者は手を差し延ばして作業するが、垂直な前面シャッタより斜めにすると作業者の顔がシャッタにぶつからないため作業し易くなり、長時間の作業でも疲れない。
【実施例２】
【００２１】
図２は、本発明の第２の実施例を示す卓上型クリーンベンチの側面断面図である。
【００２２】
図２において、ファンユニット２は動作すると、クリーンベンチ１外部の上方の吸込み口１４より空気を吸い込み、ファンによって軸方向に送り出し、ＨＥＰＡフィルタ２を通過して清浄空気として、吹き出しパンチング４を介して作業室５内に吹き出す。実施例１で説明したように、前面シャッタ７を作業者側手前に斜めに取付けており、作業室５は底部が広くなっているため、吹き出しパンチング４から吹き出された清浄空気をより均一になるように吹き出しパンチング４を奥側が低くなるように傾けて設置している。このような構成により、より広く作業空間内に清浄空気を吹き出すことができる。
【００２３】
実施例２では吹き出しパンチング（丸孔）により吹き出し方向を変化させているが、風向板を用いて構成しても良い。
【実施例３】
【００２４】
図３は、本発明の第３の実施例を示す卓上型クリーンベンチの側面断面図の上部を示している。
【００２５】
図３において、卓上型クリーンベンチ１のファンユニット２が動作すると、クリーンベンチ１の上方から空気を吸い込み、ファンによって送り出され、ＨＥＰＡフィルタ３を通過して清浄空気を吹き出しパンチングより作業室５内に吹き出す。
このとき、作業空間５内の前面シャッタ側７上方のコーナ部には、空気のよどみが生じ易く、本発明はこのよどみを解消する構造にした。すなわちファンユニット２やＨＥＰＡフィルタ３を設けた天井ケース１３の前面シャッタ側にスリット９を設ける。
ここで、クリーンベンチ１の圧力について見ると、ファンユニット２が動作すると、ファンは空気を送り出し正圧（＋圧）となり、ファンの空気吸込み口である天井ケースは負圧（−圧）で、作業室５内は正圧（＋圧）となる。したがって、天井ケース１３の前面シャッタ側にスリット９を設けると、作業室５内の上方のコーナ部において、吹き出しパンチング４から吹き出された清浄空気は、作業室５内が正圧で天井ケース１３が負圧であるため、空気はスリット９内に流れ、また前面シャッタに沿って下方に流れる。このようにスリットを設けることにより、上記の空気の流れが発生し、コーナ部でのよどみがなくなる。
【図面の簡単な説明】
【００２６】
【図１】本発明の卓上クリーンベンチを示す構造図（正面断面図、側面断面図）である。
【図２】本発明の卓上クリーンベンチを示す構造図（側面断面図）である。
【図３】本発明の第１実施の形態を示す卓上クリーンベンチの構造図（側面）である。
【図４】従来の卓上型クリーンベンチの構造図（正面断面図、側面断面図）である。
【符号の説明】
【００２７】
１…卓上型クリーンベンチ
２…ファンユニット
３…ＨＥＰＡフィルタ
４…吹出しパンチング
５…作業室
７…前面シャッタ
９…スリット
１１…よどみ
１３…天井ケース
【図１】
2007170763.tif 000003
【図２】
2007170763.tif 000004
【図３】
2007170763.tif 000005
【図４】
2007170763.tif 000006